(57)【要約】      （修正有）【課題】担架部のストレッチャー本体に対する取外し・固定作業を容易にする。【解決手段】ストレッチャー本体１の上部に担架部２を取外し可能に載置し、該担架部２に鉤形状のストッパー５の基端部を回動可能に取り付けると共に、ストレッチャー本体１の上部に、上記ストッパー５の掛止パイプ６を設けることで、ストッパー５を操作すれば、担架部２のストレッチャー本体１側への固定及びその解除が簡単に行える。【選択図】図４
0003121412.tif 000002
【実用新案登録請求の範囲】
【請求項１】
ストレッチャー本体の上部に担架部を取外し可能に載置し、該担架部に鉤形状のストッパーの基端部を回動可能に取り付けると共に、ストレッチャー本体の上部に、上記ストッパーの掛止パイプを設けたことを特徴とするストレッチャー。
【請求項２】
ストッパーを掛止パイプ側へ付勢する手段を担架部に設けたことを特徴とする請求項１記載のストレッチャー。
【請求項３】
ストッパーの付勢手段を、ストッパーの背面側に設けた受け板と、該受け板とストッパー間に設けた圧縮バネとしたことを特徴とする請求項２記載のストレッチャー。
【請求項４】
ストッパーの解除操作部を担架部の端部側部位に設けたことを特徴とする請求項１、２又は３記載のストレッチャー。
【請求項５】
ストレッチャー本体の上部両側に逆Ｌ字状の係止部を設けると共に、該係止部に対する係止パイプを担架部に設けたことを特徴とする請求項１、２、３又は４記載のストレッチャー。
【考案の詳細な説明】
【技術分野】
【０００１】
本考案は、ストレッチャー本体の上部に取外し可能に載置した担架部をストレッチャー本体側へ簡易に固定可能にしたストレッチャーに関する。
【背景技術】
【０００２】
従来、救急用、病人、怪我人、患者搬送用及び老人搬送用のストレッチャーにあっては、対象者が横臥可能なキャスター付きのものであるが、災害地域、急勾配地域、隘路、住居内などにはストレッチャーは搬入できないため、先ず担架で対象者を搬送した後にストレッチャーに載せて搬送する様にしていることから、ストレッチャー本体の上部に担架部を取外し可能に載置したストレッチャーが開発された。
【考案の開示】
【考案が解決しようとする課題】
【０００３】
しかし、上記ストレッチャーにあっては、単に載置状態であることから、ストレッチャー本体と担架部のフレームにベルトなどを巻き付けて、ストレッチャー本体に担架部を固定しているため、担架部の使用時にはいちいちベルトを取り外し、搬送時にはベルトを巻き付けねばならず甚だ面倒であるなど、解決せねばならない課題があった。
【課題を解決するための手段】
【０００４】
本考案は、上記従来技術に基づく、担架部のストレッチャー本体に対する取外し・固定作業が面倒な課題に鑑み、ストレッチャー本体の上部に担架部を取外し可能に載置し、該担架部に鉤形状のストッパーの基端部を回動可能に取り付けると共に、ストレッチャー本体の上部に、上記ストッパーの掛止パイプを設けることによって、ストッパーを操作するだけで、担架部のストレッチャー本体側への固定及びその解除を簡単に行える様にして、上記課題を解決する。
【考案の効果】
【０００５】
要するに本考案は、ストレッチャー本体の上部に担架部を取外し可能に載置し、該担架部に鉤形状のストッパーの基端部を回動可能に取り付けると共に、ストレッチャー本体の上部に、上記ストッパーの掛止パイプを設けたので、ストレッチャー本体側の掛止パイプに担架部側のストッパーを単に引っ掛けることで、ストレッチャー本体に対する担架部の一方向へのスライドを規制することが出来ると共に、掛止状態のストッパーを掛止パイプから単に外すだけで規制解除することが出来るため、担架部のストレッチャー本体側への固定・解除を簡単に行うことが出来る。
【０００６】
ストッパーを掛止パイプ側へ付勢する手段を担架部に設けたので、ストッパーの掛止パイプへの掛止状態を維持することが出来、而もストッパーの付勢手段を、ストッパーの背面側に設けた受け板と、該受け板とストッパー間に設けた圧縮バネとしたので、単純な構成で確実な効果を奏させることが出来る。
【０００７】
ストッパーの解除操作部を担架部の端部側部位に設けたので、搬送者が位置する担架部の端部側にストッパーがあるため、搬送中に簡単に操作することが出来る。
【０００８】
ストレッチャー本体の上部両側に逆Ｌ字状の係止部を設けると共に、該係止部に対する係止パイプを担架部に設けたので、該担架部側の係止パイプをストレッチャー本体側の係止部に差し込むことで、ストレッチャー本体に対する担架部の上動及び差込み方向側へのスライドを防止することが出来るため、ストッパーによる担架部の差込み方向とは反対側へのスライドを防止する作用と相俟って、担架部をどの方向へもスライドさせない様にすることが出来る等その実用的効果甚だ大である。
【考案を実施するための最良の形態】
【０００９】
以下本考案の一実施例を図面に基づいて説明する。
図１は、本考案に係るストレッチャーの正面図であり、図２は、図１のストレッチャーの下部構造を省略した平面図であり、図３は、図１のＸ−Ｘ断面の要部拡大図であり、図４は、図３のＹ−Ｙ断面の要部拡大図である。
本考案に係るストレッチャーにあっては、基本的に、ストレッチャー本体１の上部に担架部２が取外し可能に載置されており、ストレッチャー本体１にあっては、移動可能な台車部３の上方に担架載置部４を上下動可能に配設し、担架部２の下部に鉤形状のストッパー５の基端部を回動可能に取り付けて該ストッパー５を上下揺動自在とすると共に、ストレッチャー本体１の上部、即ち担架載置部４に、上記ストッパー５の掛止パイプ６を設けている。
以下、具体的に説明する。
【００１０】
担架部２の横幅を担架載置部４より広くし、担架部２の両端側寄りの下部に脚部７、８を配設し、該脚部７、８は担架部２の両側部下部に下方突設された支脚９、9a、10、10a と該支脚９、9a、10、10a の中間部間に水平架設されたパイプ11、12により構成し、該パイプ11、12が下方の担架載置部４上に当接すると共に、支脚９、9a、10、10a の下端側が担架載置部４の両側部の外側に位置する様にしている。
そして、一方の脚部７におけるパイプ11に上記ストッパー５の基端部を回動可能に取り付けると共に、かかるストッパー５を他端側且つ下方へ斜方突出させている。又、ストッパー５の背面側に設けた受け板13の基端部をパイプ11に固設し、該受け板13とストッパー５間に圧縮バネ14を介設して、ストッパー５を上方へ付勢する様にしている。
【００１１】
担架部２における両端側の両側部位を把持部15、15a 、16、16a とし、一端側（一方の脚部７側）の把持部15、15a におけるどちらか一方（図面上、把持部15a ）にストッパー５の解除操作部17を設け、該解除操作部17は、担架部２への取付ブロック17a と、該取付ブロック17a に揺動可能に取り付けたレバー17b と、取付ブロック17a 及びストッパー５側の受け板13に両端部を固設したアウターチューブ18と、該アウターチューブ18内に挿通状態で、取付ブロック17a 及び受け板13を貫通させてレバー17b 及びストッパー５に両端部を固定したインナーワイヤー19とで構成されている。
【００１２】
担架載置部４の両端側且つ両端側に、逆Ｌ字状の係止部20、20a 、21、21a を配設すると共に、該係止部20、20a 、21、21a に対する掛止パイプ22、23を担架部２に設け、係止部20、20a 、21、21a に対し掛止パイプ22、23の両端部位を一端側より差込み可能に配置している。
【００１３】
次に本考案に係るストレッチャーの作用について説明する。
ストレッチャー本体１から担架部２を取り外すには、先ず解除操作部17におけるレバー17b を引いて、ストッパー５を解除方向（図面上、下方向）に揺動させた後、担架部２を一端側へスライドさせて、担架部２側の係止パイプ22、23をストレッチャー本体１側の係止部20、20a 、21、21a より引き出せば、図５に示す様に、担架部２がストレッチャー本体１から完全に外れる。
ストレッチャー本体１に担架部２を載置、固定するには、先ず解除操作部17におけるレバー17b を引いた状態で、図５に示す様に、担架部２をストレッチャー本体１の一端側寄りに一旦載置した後、他端側へスライドさせて、担架部２側の係止パイプ22、23をストレッチャー本体１側の係止部20、20a 、21、21a に差し込み、解除操作部17におけるレバー17b から手を離すと、ストッパー５が掛止方向（図面上、上方向）に揺動して、図４に示す様に、ストレッチャー本体１側の掛止パイプ６に掛止される。又、担架部２の載置時には、担架部２における支脚９、9a、10、10a が担架載置部４の外側に位置するため、ストレッチャー本体１に対し担架部２が幅方向にずれずに載置可能になる。
【００１４】
尚、ストレッチャー本体１にあっては、図面上、パンタグラフ機構により担架載置部４を上下動可能にしているが、要するに台車部３に対し担架載置部４が上下動可能であれば構成には何ら限定されず、又担架載置部４が上下動しないストレッチャー本体１であっても良い。
【００１５】
又、ストッパー５にあっては、担架部２の少なくとも一端側へのスライドを規制するためのものであれば良いことから、例えば逆に下方へ付勢する様に設けても良い。つまり、ストッパー５は掛止パイプ６側へ付勢する様に設けられていれば良いが、通常はストッパー５の揺動中心より掛止パイプ６が低所に位置することから、下方へ付勢する様に設けるとストッパー５の全体が掛止パイプ６より上方に位置してしまうため、ストッパー５により担架部２の他端側へのスライドを規制出来ない。しかし、図示した構成のものであれば、担架部２が他端側へスライドしても掛止パイプ６がストッパー５に当接するため、同方向へのスライドも規制されることから、ストレッチャー本体１側に係止部20、20a 、21、21a は必要ないが、ストッパー５及び受け板13の破損を防止すると共に、担架部２の上動を規制するためにも係止部20、20a 、21、21a を設けるのが好ましい。
【００１６】
又、ストッパー５の掛止パイプ６にあっては、図面上、担架載置部４の上下動機構の構成部材を取り付けるためのパイプを利用しているが、要するにストレッチャー本体１に対し担架部２が取り付けられた状態で掛止可能な、担架載置部４の幅方向に設けた横フレームであれば良く、又ストレッチャー本体１側の係止部20、20a 、21、21a に対する担架部２側の掛止パイプ22、23は、図面上、脚部７、８におけるパイプ11、12であるが、要するにストレッチャー本体１に対し担架部２が取り付けられた状態で係止部20、20a 、21、21a が係止可能な、担架部２の幅方向に設けた横フレームであればどれでも良い。又、ストッパー５の取付部位も、図面上、一方の脚部７におけるパイプ11であるが、かかる箇所に限定されず、要するにストレッチャー本体１側における掛止パイプ６とされた構成部材に掛止可能であればどこでも良い。
【図面の簡単な説明】
【００１７】
【図１】本考案に係るストレッチャーの正面図である。
【図２】図１のストレッチャーの下部構造を省略した平面図である。
【図３】図１のＸ−Ｘ断面の要部拡大図である。
【図４】図３のＹ−Ｙ断面の要部図である。
【図５】ストッパーの解除状態を説明する断面図である。
【符号の説明】
【００１８】
１                  ストレッチャー本体
２                  担架部
５                  ストッパー
６                  掛止パイプ
13                  受け板
14                  圧縮バネ
17                  解除操作部
20、20a 、21、21a   係止部
22、23              係止パイプ
【図１】
0003121412.tif 000003
【図２】
0003121412.tif 000004
【図３】
0003121412.tif 000005
【図４】
0003121412.tif 000006
【図５】
0003121412.tif 000007